(57)【要約】【課題】器具本体の貫通口の前方での輝度を確保することができる新規構成の照明装置を提供する。【解決手段】照明装置、貫通口１５を有した器具本体３の外周寄りに導光板２５を利用した主発光部７が配され、器具本体３の主面がカバーにより覆われてなり、主発光部７より内側位置で、貫通口１５を囲む状態で副発光部５が設けられ、副発光部５は、複数の半導体発光素子と、半導体発光素子から出射された光の一部を貫通口１５側へと屈曲させる光学部材１９とを備える。【選択図】図６
2014071982.tif 000002
【特許請求の範囲】
【請求項１】
貫通口を有した器具本体の外周寄りに導光板を利用した主発光部が配され、前記器具本体の主面がカバーにより覆われてなる照明装置において、
前記主発光部より内側位置で、前記貫通口を囲む状態で副発光部が設けられ、
前記副発光部は、複数の半導体発光素子と、前記半導体発光素子から出射された光の一部を前記貫通口側へと屈折させる光学部材と
を備える
ことを特徴とする照明装置。
【請求項２】
前記半導体発光素子は、その主出射方向を前記主面と直交する方向に向けて配され、
前記光学部材は、前記半導体発光素子から主出射方向よりも前記貫通口側に出射された光を前記貫通口により近づくように屈折させ、主出射方向よりも前記貫通口と反対側に出射された光を前記主発光部により近づくように屈折させる屈折レンズ部を有する
ことを特徴とする請求項１に記載の照明装置。
【請求項３】
前記主発光部は、
主出射方向を前記副発光部の半導体発光素子の主出射方向と同じ方向に向けて配された複数の半導体発光素子と、
前記主発光部の半導体発光素子から出射された光を前記副発光部側へと導光しながら前記カバー側へと出射する前記導光板と、
前記主発光部の半導体発光素子の主出射方向を覆い且つ拡散機能を有する光拡散部材と
を備え、
前記副発光部の半導体発光素子と前記カバーとの前記主出射方向の間隔は、前記主発光部の半導体発光素子と前記カバーとの前記主出射方向の間隔よりも大きい
ことを特徴とする請求項２に記載の照明装置。
【請求項４】
前記カバーは、
前記副発光部と対向する領域に形成され且つ前記副発光部の半導体発光素子の主出射方向と直交する平坦部と、
前記主発光部と対向する領域に形成され且つ前記平坦部から前記主発光部の外周側へと移るに従って前記主発光部に近づくように湾曲する湾曲部と
を有する
ことを特徴とする請求項３に記載の照明装置。
【請求項５】
前記平坦部は、前記貫通口と対向する領域にも形成されている
ことを特徴とする請求項４に記載の照明装置。
【請求項６】
前記湾曲部は、
前記平坦部の外周近傍に形成され且つ前記主発光部側へと膨らむように湾曲する内側湾曲部分と、
前記内側湾曲部分の外周側に形成され且つ前記主発光部と反対側へと膨らむように湾曲する外側湾曲部分と
を有する
ことを特徴とする請求項４又は５に記載の照明装置。
【発明の詳細な説明】
【技術分野】
【０００１】
本発明は、引掛けシーリングへの装着用の貫通口を器具本体の中央に有する照明装置に関する。
【背景技術】
【０００２】
ＬＥＤは、長寿命で、小型で発光効率が良く、鮮やかな発光色を有するといった利点を持ち、照明装置等に広く利用されている。このような照明装置の一つとして、例えば、天井等に装着される、所謂、シーリングライトがある（例えば、特許文献１）。
特許文献１に記載の照明装置は、中央に貫通口を有する器具本体と、器具本体の前面であって貫通口周りに配された発光部と、器具本体の前側を覆うように装着されたカバーとを備える。発光部は、環状に配された複数のＬＥＤと、ＬＥＤから発せられた光を器具本体の前側へと導光しつつ前方へと出射する導光板とを備える。導光板は、器具本体の貫通口に合わせて、その中央が開口している。
【先行技術文献】
【特許文献】
【０００３】
【特許文献１】特開２０１２−４３７５９号公報
【発明の概要】
【発明が解決しようとする課題】
【０００４】
しかしながら、上記照明装置では、導光板の中央が開口しているため、開口部分、つまり照明装置の中央での輝度が低いという問題がある。なお、器具本体の貫通口は、器具本体を天井等に設けられている引掛けシーリングへの装着の際に、引掛けシーリングの位置を確認するときに利用されるものであり、この貫通口を失くしたり、塞いだりすることはできない
本発明は、上記した課題に鑑み、器具本体の貫通口の前方での輝度を確保することができる新規構成の照明装置を提供することを目的とする。
【課題を解決するための手段】
【０００５】
上記目的を達成するために、本発明の一態様に係る照明装置は、貫通口を有した器具本体の外周寄りに導光板を利用した主発光部が配され、前記器具本体の主面がカバーにより覆われてなり、前記主発光部より内側位置で、前記貫通口を囲む状態で副発光部が設けられ、前記副発光部は、複数の半導体発光素子と、前記半導体発光素子から出射された光の一部を前記貫通口側へと屈折させる光学部材とを備えることを特徴とする。
【発明の効果】
【０００６】
本発明の一態様に係る照明装置は、貫通口を囲む状態で設けられた副発光部が、半導体発光素子から出射された光の一部を貫通口側へと屈折させる光学部材を備える。このため、器具本体の貫通口の前方での輝度を確保することができる。
【図面の簡単な説明】
【０００７】
【図１】実施形態に係る照明装置の斜視図であり、（ａ）は下方から見た図、（ｂ）は上方から見た図
【図２】照明装置の左半分の断面図
【図３】表カバーを外し、前面を上に向けた状態の斜視図
【図４】図３の状態から主光学部材と副光学部材等を外した状態の斜視図
【図５】器具本体の前面を上に向けた状態での斜視図
【図６】図４における中央部を拡大した図
【図７】図２のＡ部を拡大した図
【図８】副光学部材を半分で切断し、後面を上に向けた斜視図
【図９】主発光部の拡大図
【図１０】図９のＢ部を拡大した図
【図１１】図９のＣ部を拡大した図
【図１２】表カバーの斜視図であり、（ａ）は前面を上方に向けた状態を上方から見た斜視図、（ｂ）は後面を上方に向けた状態を上方から見た斜視図
【図１３】主発光部及び副発光部を発光させた状態の模式図
【発明を実施するための形態】
【０００８】
＜本発明の一態様の概要＞
本発明の一態様に係る照明器具は、貫通口を有した器具本体の外周寄りに導光板を利用した主発光部が配され、前記器具本体の主面がカバーにより覆われてなる照明装置において、前記主発光部より内側位置で、前記貫通口を囲む状態で副発光部が設けられ、前記副発光部は、複数の半導体発光素子と、前記半導体発光素子から出射された光の一部を前記貫通口側へと屈折させる光学部材とを備える。
【０００９】
また、前記半導体発光素子は、その主出射方向を前記主面と直交する方向に向けて配され、前記光学部材は、前記半導体発光素子から主出射方向よりも前記貫通口側に出射された光を前記貫通口により近づくように屈折させ、主出射方向よりも前記貫通口と反対側に出射された光を前記主発光部により近づくように屈折させる屈折レンズ部を有する。これにより、器具本体の貫通口の周辺前方での輝度を確保することができる。
【００１０】
また、前記主発光部は、主出射方向を前記副発光部の半導体発光素子の主出射方向と同じ方向に向けて配された複数の半導体発光素子と、前記主発光部の半導体発光素子から出射された光を前記副発光部側へと導光しながら前記カバー側へと出射する前記導光板と、前記主発光部の半導体発光素子の主出射方向を覆い且つ拡散機能を有する光拡散部材とを備え、前記副発光部の半導体発光素子と前記カバーとの前記主出射方向の間隔は、前記主発光部の半導体発光素子と前記カバーとの前記主出射方向の間隔よりも大きい。これにより、カバーの全面から均斉な光が出射される全面発光が可能となる。
【００１１】
また、前記カバーは、前記副発光部と対向する領域に形成され且つ前記副発光部の半導体発光素子の主出射方向と直交する平坦部と、前記主発光部と対向する領域に形成され且つ前記平坦部から前記主発光部の外周側へと移るに従って前記主発光部に近づくように湾曲する湾曲部とを有する。これにより、厚みの厚い平坦部の周りに平坦部よりも薄い湾曲部が存することとなり、照明装置全体として、薄い印象をユーザに与えることができる。
【００１２】
また、前記平坦部は、前記貫通口と対向する領域にも形成されている。さらに、前記湾曲部は、前記平坦部の外周近傍に形成され且つ前記主発光部側へと膨らむように湾曲する内側湾曲部分と、前記内側湾曲部分の外周側に形成され且つ前記主発光部と反対側へと膨らむように湾曲する外側湾曲部分とを有する。これらにより、カバーの意匠性を高めることができる。
＜実施形態＞
以下、本発明の一態様に係る照明装置について、図面を参照しながら説明する。なお、各図面における部材の縮尺は実際のものとは異なる箇所もある。
【００１３】
照明装置１は、天井に着脱自在に装着できる、所謂シーリングライトである。照明装置１を床の方から見たときに見える側を照明装置１の前側し、照明装置１の見えない側を後側とする。また、照明装置１において上下方向又は前後方向は、天井における照明装置１が装着されている面に直交する方向をいい、「下」又は「前」は床のある側を指し、「上」又は「後ろ」は天井のある側を指す。
【００１４】
また、照明装置１を前後方向からみたときの照明装置１の中心を通り、前後方向に延伸する仮想軸を中心軸とし、単に中心軸と称する場合は、照明装置１の中心軸を指すものとする。
１．全体構成
図１は実施形態に係る照明装置１の斜視図であり、（ａ）は下方から見た図であり、（ｂ）は上方から見た図である。図２は、照明装置１の左半分の断面図である。
【００１５】
照明装置１は、主な構成として、図１及び図２に示すように、皿状の器具本体３と、器具本体３の前面（本発明の「主面」である。）に設けられた２つの発光部５，７と、２つの発光部５，７を覆うように器具本体３の前側に装着された表カバー９と、器具本体３の後面に設けられた点灯回路ユニット（図示省略）と、点灯回路ユニットを覆うように器具本体３の後側に装着された裏カバー（本発明の「カバー」である。）１１とを備える。
【００１６】
照明装置１は、図示していないが、天井の引掛シーリングに対してアダプタ１３を介して着脱自在に装着される。アダプタ１３は、図２に示すように、器具本体３の中央の貫通口１５の後側の裏カバー１１に着脱自在に装着されている。なお、点灯回路ユニットは、アダプタ１３を介して受電した商用電力を利用して２つの発光部５，７を点灯させる。
２．前側構造
図３は表カバー９を外し、前面を上に向けた状態の斜視図であり、図４は図３の状態から主光学部材２５と副光学部材１９等を外した状態の斜視図である。
【００１７】
器具本体３は、前後方向の貫通口１５を中央に有する板状をしている。貫通口１５は、装置（器具本体３）を引掛けシーリングに装着する際に、自装置の位置合わせ等に利用される。２つの発光部５，７は、図３に示すように、器具本体３の前面であって貫通口１５の周りに配された環状の副発光部５と、副発光部５の外側に配された環状の主発光部７である。
【００１８】
副発光部５は、図４に示すように複数のＬＥＤが環状に配されてなる副発光モジュール１７と、図３に示すように副発光モジュール１７を覆う環状の副光学部材１９とを含む。主発光部７は、図４に示すように複数のＬＥＤが環状に配されてなる主発光モジュール２３と、図３に示すように主発光モジュール２３を覆い且つ副発光部５に対応した開口を有する主光学部材２５とを含む。
【００１９】
器具本体３の外周縁周辺には、表カバー９を装着するための２種類の装着部材２７，２９が取り付けられている。器具本体３の外周縁には、器具本体３の外周縁から斜め上方に延伸する傘部材３１が取り付けられている。
以下、各構成について説明する。
（１）器具本体
図５は、器具本体３から発光部５，７を取り除いて、その前面を上に向けた状態での斜視図である。
【００２０】
器具本体３は、図５に示すように、円板状をしている。器具本体３は、副発光部５を装着するための副発光部装着領域４１と、主発光部７を装着するための主発光部装着領域４３と、表カバー９用の装着部材２７，２９を装着するための表カバー装着領域４５とを前面に有する。
また、器具本体３は、その中央には貫通口１５を有する第１平坦部４７と、第１平坦部４７の外周側に配された環状の第２平坦部４９と、第２平坦部４９の外周側に配された環状の第３平坦部５１とを備える。ここでは、第１平坦部４７、第２平坦部４９、第３平坦部５１の順で、第１平坦部４７を基準にすると、第１平坦部４７から後側へと段差状に凹入している。
【００２１】
器具本体３の前面を平面視すると各平坦部４７，４９，５１は円環状をし、その径方向の寸法である幅は、第１平坦部４７が最も長く、第２平坦部４９と第３平坦部５１とが同じぐらいになっている。
ここで、副発光部装着領域４１は、第１平坦部４７の内周側に存在し、主発光部装着領域４３は、第１平坦部４７の外周側と第２平坦部４９とに跨って存在している。また、表カバー装着領域４５は、第３平坦部５１に存在している。
【００２２】
器具本体３における第３平坦部５１の外周部５５は、図２及び図５に示すように、前側に折り返され、その先端部５５ａは丸められている。なお、先端部５５ａを丸めることにより、表カバー９を器具本体３に装着する際に、人の指が先端部５５ａに接触して、怪我するようなことを失くすことができる。
器具本体３には、上記の主・副発光部５，７、装着部材２７，２９、傘部材３１等を装着するための貫通孔やネジ孔が設けられている。
（２）副発光部
図６は、図４における中央部を拡大した図である。図７は、図２のＡ部を拡大した図である。
【００２３】
副発光部５は、図４及び図７に示すように、器具本体３の前面に載置された副発光モジュール１７と、副発光モジュール１７を押圧するように器具本体３に固定された副光学部材１９とを備える。副光学部材１９は、副発光部５から所定方向に向けて光が出射するように、副発光モジュール１７から発せられた光の軌道を変更する。
（２−１）副発光モジュール
副発光モジュール１７は、図４及び図７に示すように、基板６１と、基板６１に実装されたＬＥＤとを備える。基板６１は、図４に示すように、全体形状として円環状をしている。基板６１は、１個又は複数の絶縁板から構成される。ここでは、１つの絶縁板から構成され、その前面にＬＥＤと電気的に接続される配線パターンが形成されている。
【００２４】
ここでは、複数のＬＥＤ素子が実装され、実装された全てのＬＥＤ素子をまとめて封止材料で封止してなる、所謂、ＳＭＤ（Ｓｕｒｆａｃｅ  Ｍｏｕｎｔ  Ｄｅｖｉｃｅ）６３が用いられている。ＳＭＤ６３は、ＳＭＤ６３を構成するＬＥＤの主出射方向を中心軸と平行となるように、基板６１に実装されている。
ＳＭＤ６３は、複数あり、環状の基板６１上に存する仮想円周線上を周方向に間隔をおいて実装されている。なお、ここでの間隔は等間隔である。また、仮想円周線は、図７に示すように、基板６１の半径方向の中央にある。つまり、環状に基板６１の内周と外周との真ん中である。
【００２５】
封止材料は、例えば、樹脂材料からなる。ＬＥＤから発せられた波長を変換する必要がある場合は、蛍光体粒子等の波長変換部材が樹脂材料に混入されている。
副発光モジュール１７は、図４に示すように、照明装置１の点灯・消灯等を遠隔操作するリモコンからの信号を受信する受信センサ６５を基板６１に有している。
（２−２）副光学部材
図８は、副光学部材１９を半分で切断し、後面を上に向けた斜視図である。
【００２６】
副光学部材１９は、副発光モジュール１７から出射された光を屈折作用により、その出射方向を途中で変える。ここで、副発光モジュール１７は、上述のように円環状をしている。このため、副光学部材１９も図６等に示すように円環状をしている。
副光学部材１９は、図６に示すように、円環部分では板状をしている。副光学部材１９は、前側から見た場合、その中央部分１９ａが周方向に連続して隆起している。逆に、後側から見た場合、図８に示すように、中央部分１９ａが周方向に連続して凹入している。隆起した部分及び凹入した部分は、視点の違いによる表現の違いであって、両方とも同じものを指している。
【００２７】
副光学部材１９の中央部分１９ａの内部には、図７に示すように、副発光モジュール１７のＳＭＤ６３が配されている。隆起もしくは凹入している部分で、内部に配されているＳＭＤ６３からの光を、その一部を除いて屈曲（屈折）させる光学手段が構成されている。
光学手段は、光の屈折を利用しており、隆起部又は凹入部、及びその周辺をまとめて屈折レンズ部６９とする。
【００２８】
屈折レンズ部６９は、図７に示すように、ＳＭＤ６３からの光のうち、中心軸と略平行に進む光をそのまま直進させ、中心軸に向かう方向に進む光をあまり屈折させず、中心軸から離れる方向に進む光を中心軸に向かう光よりも大きく屈折させる。具体的には、図７に示すように、ＳＭＤ６３の中心を通り、中心軸と平行なＳＭＤ６３の中心線に対して、中心軸に近い側（図の右側）の内面７３ｂの曲率半径を小さくし、中心軸に遠い側（図の左側）の外面７３ａの曲率半径を大きくしている。これにより、ＳＭＤ６３の中心線の外側・内側で屈折率が異なり、ＳＭＤ６３の光を副光学部材１９から所定方向に出射させることができる。
【００２９】
なお、図７に示すように、ＳＭＤ６３の中心を通り、中心軸と平行なＳＭＤ６３の中心線に対して、前面７３の外側・内側の面形状は対称であり、曲率半径が同じになっている。また、後面７１の曲率半径は、前面７３の曲率半径よりも小さくなっている。
副光学部材１９は、図７及び図８に示すように、後面７１に段差部７５を有し、この段差部７５の中央に屈折レンズ部６９が設けられている。段差部７５の幅は、副発光モジュール１７の基板６１の幅に対応している。これにより、副光学部材１９が器具本体３に固定されると、段差部７５で副発光モジュール１７が押圧され、その移動が規制される。なお、段差部７５の幅は、径方向の寸法であり、副光学部材１９や副発光モジュール１７の横断面において左右方向の寸法である。
【００３０】
副光学部材１９は、所定の固定方法により固定される。ここでの固定方法は螺合方法である。つまり、副光学部材１９は、図６及び図８に示すように、屈折レンズ部６９よりも内側に存する内側部分７７と、屈折レンズ部６９よりも外側に存する外側部分７９とに、厚み方向に貫通する貫通孔８１を有する。貫通孔８１を挿通する固定ネジ８３が器具本体３のネジ孔８５に螺合する（図５及び図６参照）。
【００３１】
副光学部材１９は、内部が中空の膨出部分８７を有し、この内部に副発光モジュール１７の受信センサ６５や点灯回路ユニット側と接続するための接続コネクタ６７が収容される。
（３）主発光部
図９は主発光部７の拡大図であり、図１０は図９のＢ部を拡大した図であり、図１１は図９のＣ部を拡大した図である。
【００３２】
主発光部７は、図４及び図９に示すように、器具本体３の前面に載置された主発光モジュール２３と、主発光モジュール２３の外側位置から副発光部５の近傍位置に跨るように配された主光学部材２５とを備える。主光学部材２５は、副発光部５から光が発せられない領域及び副発光部５から発せられている光が弱い（光束が少ない）領域をカバーするように、主発光モジュール２３から発せられた光の軌道を変更する。
【００３３】
主光学部材２５は、図３に示すように、その外周縁は外側押さえ部材９３により器具本体３側に押圧され、内周縁は内側押さえ部材９５により器具本体３側に押圧されることで、器具本体３に装着される。
（３−１）主発光モジュール
主発光モジュール２３は、図４に示すように、基板９７と、基板９７に実装されたＬＥＤとを備える。ここでは、主発光モジュール２３は、図４に示すように、複数個（４個である。）ある。これらすべての主発光モジュール２３が器具本体３上に配されると、全体形状として円環状を形成する。
【００３４】
基板９７は、１個の絶縁板と、絶縁板の前面形成された配線パターン（図示省略）とを備える。なお、各基板９７は環状の一部（４分の１である。）を構成している。このため、各基板９７について周方向及び径方向を用いて説明するときは、この方向は、４つの基板９７が配されて形成される環状における周方向及び径方向と同じ方向である。
ここでは、複数のＬＥＤ素子が実装され、実装された全てのＬＥＤ素子をまとめて封止材料で封止してなる、所謂、ＳＭＤ（Ｓｕｒｆａｃｅ  Ｍｏｕｎｔ  Ｄｅｖｉｃｅ）９９が用いられている。ＳＭＤ９９は、ＳＭＤ９９を構成するＬＥＤの主出射方向を中心軸と平行となるように、基板９７に実装されている。
【００３５】
ＳＭＤ９９は、複数あり、４つの基板９７により環状を形成したときに、各基板９７上に存する仮想円周線（図示省略）上を周方向に間隔をおいて実装されている。なお、ここでの間隔は等間隔である。また、仮想円周線は、基板９７の半径方向の中央より外側である（図４参照）。
封止材料は、例えば、樹脂材料からなる。ＬＥＤから発せられた波長を変換する必要がある場合は、蛍光体粒子等の波長変換部材が樹脂材料に混入されている。
【００３６】
各基板９７には、図４に示すように、環状に配された際に、周方向に隣接する基板９７同士を連結する連結コネクタ１０１，１０３が設けられている。なお、隣接する基板９７の連結コネクタ１０１，１０３を結ぶ配線の図示は省略している。
（３−２）主光学部材
主光学部材２５は、主発光モジュール２３から出射された光を入射面から入射させ、副発光部５の近傍まで導光させつつ前方へと出射させる。ここでは、器具本体３の中央に副発光部５や貫通口１５が存している。このため、主光学部材２５も図３等に示すように円環状をしている。なお、主光学部材２５は、中央に開口を有する円盤状をしているとも言える。
【００３７】
主光学部材２５は、図９に示すように、第１平坦部４７に沿って平行に延伸する第１円環板部１１１と、第２平坦部４９に沿って平行に延伸する第２円環板部１１３と、第１円環板部１１１と第２円環板部１１３とを連結する連結板部１１５とを有する。主光学部材２５は、器具本体３への装着用の装着部１２７を有している。ここでは、第１円環板部１１１、第２円環板部１１３及び連結板部１１５の厚みは略同じある。
【００３８】
第１円環板部１１１は、第１平坦部４７であって副発光部５の外側位置から、主発光モジュール２３の基板９７の内周縁の近傍位置までの領域に跨っている。第２円環板部１１３は、第２平坦部４９であって主発光モジュール２３のＳＭＤ９９よりも内側位置から、第２平坦部４９の外周縁の近傍位置までの領域に跨っている。
第２平坦部４９は、第１平坦部４７に対して低くなっている。このため、連結板部１１５は、図１０に示すように、第１円環板部１１１の外周端から、第２円環板部１１３の内周端にかけて円弧状に湾曲している。
【００３９】
主光学部材２５が器具本体３に装着された状態では、図１０に示すように、第１円環板部１１１と器具本体３の第２平坦部４９との間に空間１２５が形成される。この空間１２５には、基板９７同士を連結する連結コネクタ１０１，１０３が収容される。
主光学部材２５は、主発光モジュール２３からの光が入射する入射部１１７と、入射した光を導光させる導光部１１９と、導光してきた光を出射する出射部１２１とを有する、所謂、導光板である。
【００４０】
入射部１１７は、広い意味では、ＳＭＤ９９から側方に発せられて器具本体３や連結コネクタ１０１，１０３等で反射した後、主光学部材２５に入射する場合は、当該入射する部分も入射部と言える。このため、入射部１１７は、主発光モジュール２３が収容されている空間１２５に接する面と言える。
ここでは、ＳＭＤ９９は光の指向性が強いため、入射部１１７は、少なくとも、ＳＭＤ９９の上面と対向する部分及び当該部分周辺を含む部分である。
【００４１】
導光部１１９は、主光学部材２５の内部に相当する。つまり、入射部１１７から入射した光は、後面２５ａと前面２５ｂとの間を反射しながら、主光学部材２５の内部を伝搬する。出射部１２１は、ここでは主光学部材２５の前面２５ｂが相当する。
主光学部材２５は、上記の導光板として機能するために、入射部１１７を除く後面２５ａが反射機能を有し、前面２５ｂが拡散機能を有している。なお、ここでの拡散機能は、前面２５ｂを凹凸にすることで実施できる。
【００４２】
これにより、入射部１１７から入射した光が、後面２５ａで前面２５ｂ側へと反射され、前面２５ｂで一部の光が前方へと出射し、残りの光が後面２５ａ側へと反射される。これを繰り返すことで、導光部１１９内の光が所望の位置まで伝播しながら前方へと出射される。
装着部１２７は、副発光モジュール１７の外側に形成されている。ここでは、主発光部７よりも外側部分に形成された貫通孔１２７ａで構成されている。
（３−３）外側押さえ部材
外側押さえ部材９３は、図１０に示すように、主光学部材２５の外周部分を押さえた状態で、器具本体３に固定される。外側押さえ部材９３は環状をしている。外側押さえ部材９３は、横断面形状が主光学部材２５の外周部分と同じような形状をし、全体形状として、図３に示すように、円環状をしている。このため、外側押さえ部材９３を主光学部材２５の外周部分に載置すると、外側押さえ部材９３の後面と、主光学部材２５の前面２５ｂとが当接する。
【００４３】
外側押さえ部材９３の外周部分には、主光学部材２５の装着部１２７に対応して、固定部１２９が形成されている。ここでは、主光学部材２５の装着部１２７及び外側押さえ部材９３の装着部１２７は貫通孔９３ａ，１２７ａである。この貫通孔９３ａ，１２７ａを挿通するネジ部材１３１が器具本体３のネジ穴１３３に螺合することで、主光学部材２５の外周部分と外側押さえ部材９３とが器具本体３に固定される。
【００４４】
外側押さえ部材９３が当接する主光学部材２５の外周部分２５ｃは、第２円環板部１１３と連結板部１１５と第１円環板部１１１の外周側である。主光学部材２５の外周部分２５ｃは、主発光部７のＳＭＤ９９の上方部分と当該上方部分の周辺部とを含む部分であり、ＳＭＤ９９から中心軸に平行に発せられた光及び中心軸に対して少し傾斜した方向に発せられた光は、主光学部材２５をそのまま通り貫けて、前方へと出射する傾向にある。
【００４５】
外側押さえ部材９３は、ＳＭＤ９９から上方に出射されて主光学部材２５を通り貫けて入射する光の進行方向を変更させる機能を有する（本発明の「光拡散部材」である。）。この機能は、拡散機能であり、例えば、外側押さえ部材９３の前面や後面の少なくとも一方の面に拡散処理（凹凸処理）を施したり、内部に拡散材料を混入したりすることで実施できる。
（３−４）内側押さえ部材
内側押さえ部材９５は、図１１に示すように、主光学部材２５の内周端部を押さえた状態で、器具本体３に固定される。内側押さえ部材９５は環状をしている。内側押さえ部材９５は、横断面形状が主光学部材２５の内周端部と同じような形状をし、全体形状として図３に示すように、円環状をしている。内側押さえ部材９５は、横断面が「Ｌ」を逆にしたような形状をしている。このため、内側押さえ部材９５を主光学部材２５の内周端部に載置すると、内側押さえ部材９５の後面９５ａと主光学部材２５の前面２５ｄとが当接し、内側押さえ部材９５の外周側面９５ｂと主光学部材２５の内周端面２５ｅとが対向する。
【００４６】
内側押さえ部材９５の内周部分には、固定部１３７が形成されている。ここでの固定部１３７は貫通孔１３７ａを有する。この貫通孔１３７ａを挿通するネジ部材１３９が器具本体３のネジ穴１４１に螺合することで、主光学部材２５の内周端部を押さえる内側押さえ部材９５が器具本体３に固定される。
（４）装着部材
装着部材は、図３及び図４に示すように、表カバー９の落下と回転を阻止する第１装着部材２７と、表カバー９の落下を阻止する第２装着部材２９との２種類がある。なお、第１装着部材２７及び第２装着部材２９のそれぞれは４個ある。
（４−１）第１装着部材
第１装着部材２７は、図３及び４に示すように、器具本体３の円周方向に沿って延伸するとともに横断面形状が「コ」の字状をする本体部１４５と、本体部１４５の周方向の一方の端部を塞ぐ蓋部１４７とを有する。なお、本体部１４５の後辺が器具本体３に当接して装着される。
【００４７】
本体部１４５は表カバー９の端部の突出部分１７１（図１２の（ｂ）参照）と嵌合し、蓋部１４７は、表カバー９が一方向に回転した時に、表カバー９の端部の突出部分１７１と当接して、その一方向への回転を規制する。
（４−２）第２装着部材
第２装着部材２９は、図３及び図４に示すように、本体部１４９と係止部１５１とを有する。本体部１４９は、器具本体３に装着される。係止部１５１は、本体部１４９の前側から鉤状に延出してなる。器具本体３の前面と係止部１５１の間に表カバー９の端部の突出部分１７１が嵌る。
（５）傘部材
傘部材３１は、図２及び図３に示すように、器具本体３の外周縁に装着されている。傘部材３１は、図２に示すように、「Ｌ」の字状をしたＬ字状部１５５と、円弧状に湾曲する湾曲部１５７とを有している。なお、傘部材３１は、表カバー９への埃が付着するのを防止する機能を有する。
【００４８】
Ｌ字状部１５５は、その一端部が器具本体３の外周縁の後面に固定されている。湾曲部１５７は、中心が前側に存するように湾曲し、その一端がＬ字状部１５５の他端に連結されている。湾曲部１５７の一端は、表カバー９が器具本体３に装着されている状態では、表カバー９の外周縁よりも少し中心軸側に移った位置に存する。これにより、器具本体３の外周部５５が傘部材３１と表カバー９とで隠れる。
（６）表カバー
図１２は、表カバー９の斜視図であり、（ａ）は前面を上方に向けた状態を上方から見た斜視図であり、（ｂ）は後面を上方に向けた状態を上方から見た斜視図である。
【００４９】
表カバー９は、図１２に示すように、器具本体３の前側を覆う本体部１６１と、器具本体３に装着するための装着部１６３とを有する。
本体部１６１は、副発光部５及び貫通口１５に対向する部分に形成された平坦部１６５と、主発光部７に対向する部分に形成された湾曲部１６７とを有する。
平坦部１６５は中心軸と直交するように形成されている。平坦部１６５は、円形状の円形領域に形成され、この領域内に貫通口１５と副発光部５とが含まれる。
【００５０】
平坦部１６５を前方から見たときに、平坦部１６５は副発光部５の複数のＳＭＤよりも外側領域まであれば良い。つまり、図２に示すように、平坦部１６５の直径を「Ｄ１」とし、ＳＭＤ６３の中心線を結んだ仮想線（円形状をしている）の直径を「Ｄ２」とすると、直径Ｄ１が直径Ｄ２よりも大きければ良い。また、主発光部７の主光学部材２５の内周面の直径を「Ｄ３」とすると、直径Ｄ１は直径Ｄ３よりも小さい。
【００５１】
湾曲部１６７は、主発光部７と対向する部分を含む円環状をした円環領域に形成されている。湾曲部１６７は、平坦部１６５に近接する部分に存する内側湾曲部分１６８と、内側湾曲部分１６８の外周側に存する外側湾曲部分１６９とを有する。内側湾曲部分１６８は後方へ膨らむように湾曲する。つまり、湾曲部分の円弧の中心が前側（表カバー９の外側である。）にある。外側湾曲部分１６９は前方へ膨らむように湾曲する。つまり、湾曲部分の円弧の中心が後側（表カバー９の内側である。）にある。
【００５２】
内側湾曲部分１６８の円弧の曲率半径は、外側湾曲部分１６９の円弧の曲率半径よりも大きい。側方から表カバー９を見ると、表カバー９はドーム状をし、その中央部分（平坦部１６５と内側湾曲部分１６８である。）が突出している。
図２に示すように、副発光部のＳＭＤ６３と表カバー９の平坦部１６５の内面との前後方向の間隔Ｌ１は、主発光部７のＳＭＤ９９と表カバー９の外側湾曲部分１６９の内面との前後方向の間隔Ｌ２よりも大きい。つまり、湾曲部１６７は、平坦部１６５から主発光部７の外周側へと移るに従って主発光部７に近づくように湾曲している。
３．後側構造
器具本体３の後面は、図１の（ｂ）に示すように、裏カバー１１が装着されている。裏カバー１１は、碗状をし、その開口周縁を器具本体３の後面に当接させている。裏カバー１１と器具本体３との間の空間には、点灯回路ユニットが配されている。
【００５３】
裏カバー１１の後面には、天井に照明装置１を装着する際に、天井と照明装置１との間の隙間をなくすためのクッション材１７３が取り付けられている。なお、クッション材１７３は、周方向に間隔をおいて４個設けられている。
４．点灯について
照明装置１は、副発光部５と主発光部７との両方を点灯させる全点灯モードと、副発光部５のみを点灯させるスポットモードとの２種類のモードを有する。以下、点灯状態に説明する。
【００５４】
図１３は、主発光部及び副発光部を発光させた状態の模式図である。
（１）全点灯モード
照明装置１は、全点灯モードでは、表カバー９の全面から光が出射される、所謂、全面発光モードとなる。主発光部７は、主光学部材２５を利用して、所望の位置まで光を誘導して出射させる。主光学部材２５は、器具本体３の第１平坦部４７と平行に延伸する第１円環板部１１１を有しているため、第１円環板部１１１の前面（出射部１２１）から前方へと光１８３ａが出射される。
【００５５】
連結板部１１５は、第２平坦部４９と平行に延伸する第２円環板部１１３の内周端から第１円環板部１１１へと、前方と中央部側とへと進行するように湾曲しているため、連結板部１１５の前面（出射部１２１）からは、外側方へと光１８３ｂが出射される。
また、主発光部７のＳＭＤ９９はその主出射方向を前方に向けて配され、主光学部材２５の入射部１１７は、ＳＭＤ９９と対向している。このため、ＳＭＤ９９から主出射方向に発せられた光は、主光学部材２５の入射部１１７から入射し、主光学部材２５内を主出射方向にそのまま直進して主光学部材２５の連結板部１１５の前面（出射部１２１）から外部へと出射される。
【００５６】
しかし、主光学部材２５における前面であってＳＭＤ９９の前方及びその周辺には、拡散機能を有する外側押さえ部材９３が設けられている。これにより、連結板部１１５から主出射方向に出射された光１８３ｃは外側押さえ部材９３で拡散される。したがって、表カバー９における、ＳＭＤ９９の主出射方向上に位置する部分だけ輝度が明るくなるようなことを防止することができ、輝度ムラの発生を抑制できる。
【００５７】
さらに、外側押さえ部材９３によりＳＭＤ９９の主出射方向に発せられた光が拡散されるので、表カバー９上の輝度ムラが抑制されるので、ＳＭＤ９９と表カバー９との距離を短くすることができる。これにより、表カバー９の湾曲部１６７の厚み（高さ）を薄くできる。
副発光部５は、器具本体３の貫通口１５と主発光部７との間に配され、副光学部材１９を有している。
【００５８】
特に副光学部材１９の屈折レンズ部６９は、副発光部５のＳＭＤ６３からその主出射方向よりも中心軸側に出射された光を、図１１の矢印１８５ｂに示すように、さらに中心軸へと近づけるように屈折させる。これにより、貫通口１５前方へも光が出射されることとなる。
また、屈折レンズ部６９は、ＳＭＤ６３から主出射方向よりも外側に出射された光を、図１３の矢印１８５ｃに示すように、主発光部７側へと屈折させる。これにより、主発光部７と副発光部５との間で輝度が不足するようなことはなくなり、副発光部５と主発光部７とが連続するように光が表カバー９から出射される。つまり、均斉な全面発光特性が得られる。
【００５９】
副発光部５のＳＭＤ６３はその主出射方向を前方に向けて配され、主出射方向と屈折レンズ部６９の光軸とが略一致している。このため、ＳＭＤ６３から主出射方向に発せられた光は、図１３の矢印１８５ａで示すように、そのまま屈折レンズ部６９の光軸上を進行して出射される。
しかし、表カバー９の平坦部１６５とＳＭＤ６３との間隔は、主発光部７におけるＳＭＤ９９と表カバー９の湾曲部１６７との間隔よりも大きくなっている。これにより、表カバー９における、ＳＭＤ６３の主出射方向上に位置する部分だけ輝度が明るくなるようなことを防止することができる。
【００６０】
なお、表カバー９の平坦部１６５と副発光部５のＳＭＤ６３との間隔は、ＳＭＤ６３が発光している状態で前方から表カバー９を見たときに、ＳＭＤ６３が斑点状として表カバー９上に現れない距離以上である。この距離はＳＭＤの仕様によって変わる。
以上のように、副発光部５と主発光部７とを点灯させると、副発光部５及び主発光部７の前方だけでなく、貫通口１５の前方にも光が出射され、表カバー９の全面から光が出射される全面発光が可能となる。
【００６１】
また、表カバー９において、湾曲部１６７では薄く、平坦部１６５では湾曲部１６７よりも厚くなっている。これにより、照明装置１として中央部だけが厚くなり、全体として、薄い印象をユーザに与えることができる。
（２）スポットモード
照明装置１は、スポットモードでは、表カバー９の中央部分から前方に光が出射される。
【００６２】
副発光部５の屈折レンズ部６９は、副発光部５のＳＭＤ６３からその主出射方向よりも中心軸側に出射された光を、図１３の矢印１８５ｂに示すように、中心軸に近づくように、より一層屈折させる。ＳＭＤ６３から主出射方向よりも外側に出射された光を、図１３の矢印１８５ｃに示すように、主発光部７側へとより一層屈折させる。
また、ＳＭＤ６３から主出射方向に発せられた光は、図１３の矢印１８５ａで示すように、そのまま屈折レンズ部６９の光軸上を進行して出射される。このため、照明装置１の中央部前方に主に光が出射される。
【００６３】
特に、屈折レンズ部６９は、ＳＭＤ６３から主出射方向よりも外側に出射された光を、図１３の矢印１８５ｃに示すように、主発光部７側へと屈折させる。このとき、外側に屈折された光が、表カバー９の内側湾曲部分１６８を通るようにしている。つまり、副発光部５から発せられる光が表カバー９の内側湾曲部分１６８の外径Ｄ４の円領域内から発せられるように、屈折レンズ部６９が構成されている。
【００６４】
これにより、スポットモードで点灯させた場合、表カバー９の内側湾曲部分１６８と平坦部１６５とから光が出射されるように視認され、意匠性の高い点灯モードを得ることができる。
なお、表カバー９の平坦部１６５とＳＭＤ６３との間隔は、主発光部７におけるＳＭＤ９９と表カバー９の湾曲部１６７との間隔よりも大きくなっている。これにより、表カバー９における、ＳＭＤ６３の主出射方向上に位置する部分だけ輝度が明るくなるようなことを防止することができる。
＜変形例＞
１．照明装置
実施形態に係る照明装置１は、前面から見ると、円形状をしていたが、他の形状をしていても良い。他の形状としては、例えば、正方形状、長方形状、長円形状等がある。
【００６５】
また、照明装置１についての発光光束について説明しなかったが、蛍光灯を利用した現行の照明装置と同程度の光束を発するものであっても良いし、現行の照明装置と異なる光束を発するようにしても良い。
また、実施形態に係る照明装置１は、現行の照明装置を装着するのに利用されている引掛シーリングに装着でき、当該引掛シーリングを介して受電しているが、現行の引掛シーリングとは別に、専用の引掛シーリングに装着するような照明装置であっても良い。この場合でも、引掛シーリングに照明装置（実際には表カバーが取り外された装置である。）を装着する際に、引掛シーリングの位置を把握するための貫通口が必要である。換言すると、本発明に係る照明装置は、装置を設置する際に、引掛シーリング等の設置側のユニットの位置を把握する必要があり、この位置確認のために貫通口を器具本体に有している照明装置であれば良い。
２．発光部
（１）形状
実施形態に係る発光部５，７は環状をし、その例として円環状をしていたが、他の形状であっても良い。他の形状としては、正方形、長方形状及び多角形状並びに楕円形状及び長円形状等の環状であっても良い。
【００６６】
また、実施形態に係る発光部５，７を前側から見た外周形状は、照明装置１を前側から見た外観形状と略同じである。つまり、照明装置１の外観形状は円形状であり、発光部５，７の外周形状は円形状であり、互いに同じ形状をしている。しかしながら、発光部の外周形状は、照明装置の外観形状に依存する必要はない。例えば、発光部の外周形状が円形状で、照明装置の外観形状が正方形状や長方形状であっても良い。
【００６７】
また、実施形態に係る発光部５，７は２つあり、２つの発光部５，７の外周形状が一致している。つまり、副発光部５の外周形状は円形状であり、主発光部７の外周形状は円形状であり、互いに一致している。しかしながら、複数の発光部の形状は互いに一致していなくても良い。例えば、副発光部の外周形状が正方形状で、主発光部の外周形状が円形状であっても良い。
（２）個数
実施形態に係る発光部５，７は、副発光部５と主発光部７との２個により構成されていたが、３個以上であっても良い。この場合、各発光部の外周形状や照明装置の外観形状は特に限定される必要はない。
（３）ＬＥＤ（半導体発光素子）
実施形態では、ＳＭＤタイプ（形態）のＬＥＤを利用しているが、他のタイプのＬＥＤを利用しても良い。他のタイプとしては、例えば、ベアチップタイプやＣＯＢ（Ｃｈｉｐ  Ｏｎ  Ｂｏａｒｄ）タイプ等がある。また、実施形態では、ＳＭＤが一列で配されていたが、複数列（例えば、２列である。）で配されていても良い。さらに、千鳥状に配されていても良い。
【００６８】
また、半導体発光素子として、実施形態ではＬＥＤを利用したが、例えば、ＬＤ（レーザダイオード）であっても良いし、これらとの組み合わせでも良い。
３．副発光部
実施形態に係る副発光部５は、副発光モジュール１７から発せられた光を屈折レンズ（屈折レンズ部６９）で屈折して所望の方向に出射している。屈折レンズとしては、実施形態のように、横断面形状がトンネル状をし、その内側に光源（ＳＭＤ６３）を配置している。
【００６９】
しかしながら、屈折レンズとして、トンネル状以外の形状をしたものを利用しても良い。他の形状としては、台形状や三角形状をしていても良い。斜辺の傾きを調整することで、所望の方向に光を屈折することができる。
実施形態では、屈折レンズ部６９の中心線と、ＬＥＤ（ＳＭＤ６３）の主出射方向とが略一致している。これは、実施形態に係る照明装置１は、照明装置１の中央部の前方に出射する光を多くするためである。しかしながら、屈折レンズ部の中心線とＬＥＤの主出射方向とを必ずしも一致させる必要はない。
【００７０】
例えば、実施形態に係る照明装置１よりも、中央部前方とその周辺までの広い範囲を明るく照射するような照明装置の場合、屈折レンズ部の中心線よりも外側にＬＥＤの主出射方向が位置するようにすれば良い。
４．主発光部
実施形態に係る主発光部７は、主光学部材２５として導光板を利用している。これは、導光板を利用することで、前方への光の出射が均一化され、全面発光が可能となるためである。
【００７１】
しかしながら、前方への光の出射を均一化させるために他の方法を利用しても良い。他の方法としては、例えば、主発光部にＬＥＤを均斉的に配置し、ＬＥＤの出射方向の前方に配置するような方法でも良い。
５．カバー
（１）平坦部形状
実施形態に係る平坦部１６５は、その外周形状は円形状をしていたが、他の形状でも良い。他の形状としては、正方形、長方形状及び多角形状並びに楕円形状及び長円形状等がある。
【００７２】
実施形態に係る平坦部１６５を前側から見た外周形状は、照明装置１を前側から見た外観形状と略同じである。つまり、照明装置１の外観形状は円形状であり、平坦部１６５の外周形状は円形状であり、互いに同じ形状をしている。しかしながら、平坦部の外周形状は、照明装置の外観形状に依存する必要はない。例えば、平坦部の外周形状が円形状で、照明装置の外観形状が正方形状や長方形状であっても良いし、この逆であっても良い。
【００７３】
実施形態に係る平坦部１６５は、主に、副発光部５内のＬＥＤ（ＳＭＤ６３）から主出射方向に出射された光が表カバー９で十分に拡散されない場合において、表カバー９の平坦部に周囲よりも輝度の高い輝点が生じる。この輝点は、ＬＥＤと表カバーとの距離が近い場合に顕著に表れる。従って、平坦部の形状は、ＬＥＤの主出射方向と表カバーとの交点及びこの交点の周辺を含んだ部分が平坦になっていれば良く、例えば、ＬＥＤの配置に合わせた形状（前方から見た形状である。）であっても良い。具体的には、複数のＬＥＤが環状に配されている場合、平坦部の形状は、ＬＥＤの配置形状に対応した環状であっても良い。なお、この際環状の内側部分は、前方に突出しても良いし、後方に凹入しても良い。
（２）平坦部の大きさ
実施形態に係る平坦部１６５は、上述のように、少なくとも、ＬＥＤ（ＳＭＤ６３）の主出射方向と表カバー９との交点及びこの交点の周辺を含んだ部分が平坦になっていれば良い。したがって、前方から表カバーを見たときに、平坦部は、必ずしも、副発光部よりも大きくする必要はない。
【００７４】
実施形態では、表カバー９の中央部（１６５）だけその周辺よりも厚くしている。これは、副発光部５との間隔を広くして、輝度ムラ（輝点）の発生を抑制するためである。一方、表カバー９の平坦部１６５以外の湾曲部１６７は平坦部１６５から外周縁に向かうに従って薄くしている。これは、照明装置に対する薄肉化の要望に応えるためでる。
このように、中央の平坦部１６５だけを厚くすることで輝度ムラを抑制でき、湾曲部１６７が外周に向かうに従って薄くなることで、照明装置１としての薄肉感を生じさせている。このことから、表カバー全体に対する平坦部は小さいほど、照明装置としての薄肉感は大きくなる。
【００７５】
目安としては、平坦部の面積が、表カバー（平坦部を含む）の全面積の１／１６〜１／１２程度あれば、薄肉感が生じる。また、表カバー及び平坦部が前方から見たときに、円形状をしている場合、平坦部の直径が表カバーの直径の１／５〜１／３程度あれば、薄肉感が生じる。一方、表カバー及び平坦部が前方から見たときに、正方形状をしている場合、一辺の長さが表カバーの一辺の長さの１／５〜１／３程度あれば、薄肉感が生じる。また、表カバー及び平坦部が前方から見たときに、表カバーが正方形状を、平坦部が円形状をそれぞれしている場合、平坦部の直径が表カバーの一辺の長さの１／５〜１／３程度あれば、薄肉感が生じる。
【００７６】
なお、平坦部の大きさは、前方からみたときに円形状をしている場合、表カバーの大きさにも影響されるが、その直径が１５０［ｍｍ］〜１７０［ｍｍ］程度の大きさが良い。これは、１５０［ｍｍ］よりも小さいと平坦部の存在の効果が薄れ、１７０［ｍｍ］よりも大きくなると薄肉感が薄れるからである。また、前方からみたときに正方形状をしている場合、表カバーの大きさにも影響されるが、その一辺が１５０［ｍｍ］〜１７０［ｍｍ］程度の大きさが良い。これは、１５０［ｍｍ］よりも小さいと平坦部の存在の効果が薄れ、１７０［ｍｍ］よりも大きくなると薄肉感が薄れるからである。
（３）ＬＥＤとの間隔
平坦部と副発光部との距離は、副発光部内のＬＥＤから主出射方向に出射された光により表カバー上に輝点が生じない距離である。この距離は、表カバーの拡散性能やＬＥＤの出力する光の強さによって変わる。
（４）平坦部付近
実施形態では、副発光部５のみが点灯すると、表カバー９の中央の突出部分（平坦部１６５と内側湾曲部分１６８である。）から光が出射するように、副光学部材１９の屈折レンズ部６９の屈折を調整している。従って、中央の突出部分から光を出射するようにする場合、屈折レンズ部の屈折率との関係で、内側湾曲部分の曲率半径を決定すれば良い。
【００７７】
また、内側湾曲部分１６８は、後方へと膨らむように湾曲しているが、平坦部の外周部分は、前方に膨らむようにしても良いし、平坦部と直交するように段差状にしても良い。
以上、本発明に係る照明装置の構成を、実施の形態および変形例に基づいて説明したが、本発明は上記実施の形態およびその変形例に限られない。例えば、上記実施形態およびその変形例の部分的な構成を、適宜組み合わせてなる構成であっても良い。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。
【符号の説明】
【００７８】
１      照明装置
３      器具本体
５      副発光部
７      主発光部
９      表カバー
１５      貫通口
１７      副発光モジュール
１９      副光学部材（光学部材）
２３      主発光モジュール
２５      主光学部材（導光板）
６３      ＳＭＤ（半導体発光素子）
６９      屈折レンズ部
９３      外側押さえ部材（光拡散部材）
９９      ＳＭＤ（半導体発光素子）
【図１】
2014071982.tif 000003
【図２】
2014071982.tif 000004
【図３】
2014071982.tif 000005
【図４】
2014071982.tif 000006
【図５】
2014071982.tif 000007
【図６】
2014071982.tif 000008
【図７】
2014071982.tif 000009
【図８】
2014071982.tif 000010
【図９】
2014071982.tif 000011
【図１０】
2014071982.tif 000012
【図１１】
2014071982.tif 000013
【図１２】
2014071982.tif 000014
【図１３】
2014071982.tif 000015